【手続補正書】
【提出日】平成15年8月1日(2003.8.1)
【手続補正１】
【補正対象書類名】特許請求の範囲
【補正対象項目名】全文
【補正方法】変更
【補正の内容】
【特許請求の範囲】
【請求項１】
改良再生方法であって、
複数のソースに接続された複数のソースリンクから実時間コンテンツを受け取る段階と、
同時に、前記実時間コンテンツを、複数の障害許容及び負荷分散法の１つを用いて格納コンテンツとして格納する段階と、
前記実時間コンテンツと複数の付加的コンテンツからの格納コンテンツとを集め合わせる段階と、
端末システムに位置したユーザからのユーザ要求に応答して、カットスルー転送方法を用いて実時間又は格納コンテンツを配信する段階とを含む、改良再生方法。
【請求項２】
前記実時間コンテンツ及び前記付加的コンテンツがデータである、請求項１に記載の方法。
【請求項３】
前記データが、オーディオ／ビデオデータ、ウェブページ、画像、グラフィックス、ソフトウェアプログラム、ソフトウェアスクリプト、非線形合成物、マルチメディア合成物、ボイス、データコール、及びデータメッセージの内の１つ又は複数を含む、請求項２に記載の方法。
【請求項４】
前記配信する段階が、集め合わせた実時間コンテンツを配信する段階を含む、請求項１に記載の方法。
【請求項５】
前記配信する段階が、集め合わせた格納コンテンツを配信する段階を含む、請求項１に記載の方法。
【請求項６】
前記配信する段階が、集め合わせた実時間コンテンツと集めた格納コンテンツとの組合せを配信する段階を含む、請求項１に記載の方法。
【請求項７】
前記カットスルー転送方法が、
コンテンツを、コンテンツ格納及びカットスルー転送システムの入力要素内に受け取る段階と、
前記入力要素内の前記コンテンツを、前記コンテンツ格納及びカットスルー転送システム内の複数の格納及び転送要素の少なくとも１つに送る段階であって、前記格納及び転送要素のそれぞれが、バッファとローカル格納サブシステムとを含む、送る段階と
コンテンツを、前記バッファ又は前記ローカル格納サブシステムから前記コンテンツ格納及びカットスルー転送システムの出力要素に送る段階とを含む、請求項１に記載の方法。
【請求項８】
前記入力要素が、前記コンテンツをセグメント化し、パリティエンジン内で冗長情報を計算する、請求項７に記載の方法。
【請求項９】
前記セグメント化が、ＲＡＩＤ−５の方法に従ったものである、請求項８に記載の方法。
【請求項１０】
前記セグメント化が、ＲＡＩＤ−０の方法に従ったものである、請求項８に記載の方法。
【請求項１１】
前記セグメント化が、ＲＡＩＤ−１の方法に従ったものである、請求項８に記載の方法。
【請求項１２】
前記セグメント化が、ＲＡＩＤ−２の方法に従ったものである、請求項８に記載の方法。
【請求項１３】
前記セグメント化が、ＲＡＩＤ−３の方法に従ったものである、請求項８に記載の方法。
【請求項１４】
前記セグメント化が、ＲＡＩＤ−４の方法に従ったものである、請求項８に記載の方法。
【請求項１５】
前記セグメント化が、ＲＡＩＤ−６の方法に従ったものである、請求項８に記載の方法。
【請求項１６】
前記セグメント化が、非ＲＡＩＤ方法に従ったものである、請求項８に記載の方法。
【請求項１７】
前記セグメント化が、ハイブリッド格納サブシステム方法に従ったものである、請求項８に記載の方法。
【請求項１８】
前記送る段階が、コンテンツセグメント読み出し要求に応答する段階を含む、請求項８に記載の方法。
【請求項１９】
前記バッファが環状バッファである、請求項７に記載の方法。
【請求項２０】
前記出力要素が、前記格納及び転送要素の１つ又は複数からコンテンツセグメントを読みだし、冗長情報からエラーがないか検査し、更に、前記コンテンツセグメントから元のコンテンツを再組み立てする、請求項８に記載の方法。
【請求項２１】
コンテンツを、複数のコンテンツ格納及びカットスルー転送システムのネットワークを介して伝搬及び経路指定する段階を更に含む、請求項７に記載の方法。
【請求項２２】
コンテンツが、前記ネットワーク内の１つ又は複数のコンテンツ格納及びカットスルー転送システム内で受信、取り替え、挿入、セグメント化、格納、及び再組み立てされる、請求項２１に記載の方法。
【請求項２３】
前記集め合わせる段階が、コンテンツを多重化し、スプライスし、且つ合成する段階を含む、請求項１に記載の方法。
【請求項２４】
複数の付加的コンテンツが、１つ又は複数のサービスからの出力を含む、請求項２３に記載の方法。
【請求項２５】
前記集める段階が、広告付きのコンテンツ配信を挿入し、取り替え、集め合わせ、且つ合成する段階を更に含む、請求項１に記載の方法。
【請求項２６】
前記格納コンテンツが、前記ユーザに時間移動コンテンツ配信機能を提供する、請求項１に記載の方法。
【請求項２７】
前記ネットワーク内でコンテンツが位置し且つ格納される場所を最適化するための伝搬方式を適用する段階と、
前記ネットワークを通過するコンテンツの流れを方向付けるための経路指定方針を提供する段階と、
障害許容性があり負荷分散されたネットワークを実現するためのエッジ経路指定方針を適用する段階とを更に含む、請求項２１に記載の方法。
【請求項２８】
端末システムから受け取った入力をサービスマネージャにディスパッチする段階と、
前記サービスからの出力と配信されたコンテンツとを集め合わせる段階とを更に含む、請求項２４に記載の方法。
【請求項２９】
前記サービスが、ローカルサービス、リモートサービス、又はローカルとリモートサービスとの組合せである、請求項２８に記載の方法。
【請求項３０】
前記配信する段階が、ユーザが前記システムと対話して、実時間コンテンツと格納（時間移動）コンテンツとの間を滑らかに移行する段階を更に含む、請求項１に記載の方法。
【請求項３１】
前記入力が、コンテンツ及びサービスへのユーザ要求である、請求項２８に記載の方法。
【請求項３２】
前記複数のソースリンクが、電子、光学、ワイヤレスバス、ネットワーク、パッケージ化メディアシステム、電話システム、及びインターネットを含む、請求項１に記載の方法。
【請求項３３】
前記端末システムが、
入力装置と、
出力装置と、
格納装置と、
プロセッサと、
周辺装置とを含む、請求項１に記載の方法。
【請求項３４】
前記端末システムが、コンテンツをキャッシュ格納し、更に、付加的処理を実行するためのキャッシュを更に含む、請求項３３に記載の方法。
【請求項３５】
前記受け取る段階が、前記コンテンツを、１つ又は複数の構成データベース及び１つ又は複数の関連付けられた情報ベースと共同してインポートする段階を更に含む、請求項１に記載の方法。
【請求項３６】
前記集め合わせる段階が、
コンテンツ、関連付けられた情報、及びユーザ入力を用いてある機能を実行する段階と、
前記コンテンツを集め合わせる段階と、
前記集め合わせたコンテンツからサービス出力を生成する段階とを更に含む、請求項１に記載の方法。
【請求項３７】
関連付けられた情報が、複数のサービスゲートウェイを介して外部サービスから通信を受け取ることを含む、請求項３６に記載の方法。
【請求項３８】
前記コンテンツに関連付けられた補助データをインポートする段階と、
コンテンツを前記補助データで修正する段階と、
前記修正データを配信する段階とを更に含む、請求項１に記載の方法。
【請求項３９】
補助データが、スプライスデータ、コンテンツ識別子、コンテンツ記述子、コンテンツ発信情報、イベントトリガ、エンハンスメント情報、並びに、利用可能な広告回数及びスペースの１つ又は複数を含む、請求項３８に記載の方法。
【請求項４０】
広告コンテンツを目録に結合する段階を更に含む、請求項１に記載の方法。
【請求項４１】
前記目録が動的である、請求項４０に記載の方法。
【請求項４２】
前記広告コンテンツが、前記ユーザ用に個人化されている、請求項４０に記載の方法。
【請求項４３】
前記補助情報が同期情報である、請求項３８に記載の方法。
【請求項４４】
前記結合する段階が、ユーザ及び利用情報と、利用可能広告に関する情報と、その有用寿命と、その対象視聴者と、前記広告が関連付けられるコンテンツ及びサービスに関する情報と、時間及び日付情報と、ユーザに影響する事象及びその利用に関する情報（例えば、吹雪のニュース）と、製品又はサービス情報に関する明示的ユーザ設定及び／又は要求と、広告主合意と、掲載予定とを含むが、これらに限定されない１つ又は複数の要因を組み込む段階を含む、請求項４０に記載の方法。
【請求項４５】
コンテンツ／サービス処理及び配信システムであって、
複数のソース入出力（Ｉ／Ｏ）リンクと、
前記複数のソース入力リンクに接続されたコンテンツ処理サブシステムと、
前記コンテンツ処理サブシステムに接続されたサービス配信サブシステムと、
前記サービス配信サブシステムに接続された入力及び対話サブシステムと、
前記サービス配信サブシステムに接続された複数の端末Ｉ／Ｏリンクとを含む、コンテンツ／サービス処理及び配信システム。
【請求項４６】
前記複数のソースＩ／Ｏリンクが、複数のソースシステムに接続されており、前記複数のソースシステムが、複数のコンテンツを、前記複数のソースＩ／Ｏリンクを介して前記コンテンツ処理サブシステムに生成する、請求項４５に記載のシステム。
【請求項４７】
前記複数のコンテンツがデータである、請求項４６に記載のシステム。
【請求項４８】
前記データがオーディオ／ビデオデータである、請求項４７に記載のシステム。
【請求項４９】
前記データがオンライン文書である、請求項４７に記載のシステム。
【請求項５０】
前記データがウェブページである、請求項４７に記載のシステム。
【請求項５１】
前記データが画像である、請求項４７に記載のシステム。
【請求項５２】
前記データがグラフィックスである、請求項４７に記載のシステム。
【請求項５３】
前記データが、ソフトウェアプログラム及びスクリプトである、請求項４７に記載のシステム。
【請求項５４】
前記データが、非線形及びマルチメディア合成物である、請求項４７に記載のシステム。
【請求項５５】
前記データがボイスである、請求項４７に記載のシステム。
【請求項５６】
前記データがデータコールである、請求項４７に記載のシステム。
【請求項５７】
前記データがデータメッセージである、請求項４７に記載のシステム。
【請求項５８】
前記複数の端末Ｉ／Ｏリンクが複数の端末システムに接続されており、前記端末システムそれぞれが、前記複数の端末Ｉ／Ｏリンクそれぞれを介してデータを送受信するように適合されている、請求項４６に記載のシステム。
【請求項５９】
前記コンテンツ処理サブシステムが、
複数のコンテンツインポータと、
複数のサービスゲートウェイリンクと、
全てのコンテンツを、コンテンツ情報ベース及びコンテンツライブラリに格納する格納サブシステムであって、前記複数のコンテンツインポータ及びサービスゲートウェイリンクに接続された格納サブシステムとを含む、請求項５８に記載のシステム。
【請求項６０】
前記複数のコンテンツインポータが、それぞれ、
後の格納及び使用のために、受け取ったコンテンツを処理し且つ準備するためのインポートプロセッサと、
前記インポートプロセッサに接続された、前記インポートプロセッサを構成し且つ制御するためのインポートオペレータインターフェースと、
前記インポートプロセッサと共に使用される関連付けられた情報データベースを接続するための情報データベースインターフェースとを含む、請求項５９に記載のシステム。
【請求項６１】
前記複数のサービスゲートウェイリンクが、複数の外部システムへの通信機構を含む、請求項５９に記載のシステム。
【請求項６２】
前記格納サブシステムが、コンテンツ格納及びカットスルー転送システムを含む、請求項５９に記載のシステム。
【請求項６３】
前記コンテンツ格納及びカットスルー転送システムが、
リンクを介して複数の格納及び転送要素に接続された入力要素と、
リンクを介して前記複数の格納及び転送要素に接続された出力要素とを含む、請求項６２に記載のシステム。
【請求項６４】
前記入力要素が、
受け取ったコンテンツをセグメント化するための手段と、
冗長情報をパリティエンジン内で計算するための手段と、
前記複数の格納及び転送要素の１つ又は複数内で検出された障害に応答して、受け取ったコンテンツをバッファリングし、そのコンテンツを再送信するための手段と、
コンテンツセグメント及び冗長情報を、前記複数の格納及び転送要素の１つ又は複数に分散するための手段とを含む、請求項６３に記載のシステム。
【請求項６５】
前記複数の格納及び転送要素が、それぞれ、
受け取ったコンテンツセグメントをバッファリングするためのバッファと、
前記バッファから受け取ったコンテンツセグメントを格納する格納装置と、
格納したコンテンツセグメントを前記格納装置から読み込ませるように応答するマネージャとを含む、請求項６４に記載のシステム。
【請求項６６】
前記格納装置が、障害許容及び負荷分散格納法を用いる、請求項６５に記載のシステム。
【請求項６７】
前記障害許容及び負荷分散格納法がＲＡＩＤ−５である、請求項６６に記載のシステム。
【請求項６８】
前記障害許容及び負荷分散格納法がＲＡＩＤ−４である、請求項６６に記載のシステム。
【請求項６９】
前記障害許容及び負荷分散格納法がＲＡＩＤ−３である、請求項６６に記載のシステム。
【請求項７０】
前記障害許容及び負荷分散格納法がＲＡＩＤ−２である、請求項６６に記載のシステム。
【請求項７１】
前記障害許容及び負荷分散格納法がＲＡＩＤ−１である、請求項６６に記載のシステム。
【請求項７２】
前記障害許容及び負荷分散格納法がＲＡＩＤ−０である、請求項６６に記載のシステム。
【請求項７３】
前記障害許容及び負荷分散格納法が、ハイブリッド格納法である、請求項６６に記載のシステム。
【請求項７４】
前記複数の出力要素が、それぞれ、
コンテンツセグメントを、前記複数の格納及び転送要素の１つ又は複数から読み出すための手段と、
前記コンテンツセグメントを再組み立てするための手段と、
前記再組み立てしたコンテンツセグメントを出力する手段とを含む、請求項６３に記載のシステム。
【請求項７５】
前記格納サブシステムが、コンテンツ伝搬及びカットスルー転送ネットワークを含む、請求項５９に記載のシステム。
【請求項７６】
前記コンテンツ伝搬及びカットスルー転送ネットワークが、複数のコンテンツ格納及びカットスルー転送システムを含む、請求項７５に記載のシステム。
【請求項７７】
前記サービス配信サブシステムが、
ユーザ要求に応答して格納されているコンテンツを読み出すための手段と、
前記ユーザ要求に応答して、格納されているコンテンツをユーザに配信するための手段とを含む、請求項４７に記載のシステム。
【請求項７８】
前記入力及び対話サブシステムが、
対話形インターフェースをユーザに提供するための手段と、
前記対話形インターフェースを介してユーザ要求を受け取るための手段と、
前記サービス配信サブシステムと対話するための手段とを含む、請求項４７に記載のシステム。
【請求項７９】
前記サービス配信サブシステムが、ユーザ情報を収集するための手段を更に含む、請求項７７に記載のシステム。
【請求項８０】
前記複数のソースシステムから補助情報を受け取るための手段と、
前記補助情報と前記コンテンツとを集め合わせるための手段を更に含む、請求項４６のシステム。
【請求項８１】
補助情報を受け取るための前記手段が、複数の補助情報インポートハンドラを含む、請求項８０に記載のシステム。
【請求項８２】
集め合わせるための前記手段が、前記補助情報を前記コンテンツにスプライスすることを含む、請求項８０に記載のシステム。
【請求項８３】
１人又は複数のユーザに提示するための広告コンテンツ又はサービスを掲載方法であって、
１人又は複数のユーザへのコンテンツ又はサービス配信時に広告を提示するための機会の目録を維持する段階と、
広告を、この広告に関連付けられた情報、命令、手順、及びソフトウェアプログラムの１つ又は複数に従って前記目録に結合する段階と、
前記広告に関連付けられた広告コンテンツを、前記コンテンツ又はサービスと共に合成する段階とを含む、広告コンテンツ又はサービスを出す方法。
【請求項８４】
前記合成したコンテンツを前記１人又は複数のユーザに配信する段階を更に含む、請求項８３に記載の方法。
【請求項８５】
前記広告コンテンツを広告主のネットワークからインポートする段階を更に含む、請求項８３に記載の方法。
【請求項８６】
前記広告を前記目録に結合するための、情報、命令、手順、及びソフトウェアプログラムの前記の１つ又は複数を含む自己誘導式広告をインポートする段階を更に含む、請求項８５に記載の方法。
【請求項８７】
前記広告を前記コンテンツに結合する前記段階が、命令、手順、及びソフトウェアプログラムの前記の１つ又は複数を用いて、結合決定の要因として含める目録、ユーザ情報、及び情報の内の１つ又は複数を発見することにより、前記広告を結合する段階を含む、請求項８６に記載の方法。
【請求項８８】
前記広告を前記目録に結合するための、広告コピーに関連付けられたデータをインポートする段階を更に含む、請求項８３に記載の方法。
【請求項８９】
前記広告コピーに関連付けられた前記データをインポートする前記段階が、情報、命令、手順、及びソフトウェアプログラムの１つ又は複数を含む、請求項８８に記載の方法。
【請求項９０】
前記広告が、前記広告コピーと、情報、命令、手順、及びソフトウェアプログラムの前記１つ又は複数とを含む、請求項８９に記載の方法。
【請求項９１】
前記コンテンツ又はサービスに関連付けられた補助データをインポートする段階を更に含む、請求項８３に記載の方法。
【請求項９２】
前記補助データが、前記コンテンツ又はサービスに関連付けられた利用可能な広告回数を含む、請求項９１に記載の方法。
【請求項９３】
前記補助データをインポートする前記段階が、それに関連付けられたコンテンツと共に帯域内で伝達される前記データをインポートする段階を含む、請求項９１に記載の方法。
【請求項９４】
前記補助データをインポートする前記段階が、帯域外で伝達した前記データを、それに関連付けられたコンテンツからインポートする段階を含む、請求項９１に記載の方法。
【請求項９５】
広告コンテンツを他のコンテンツに関連付けるための、前記広告に関連付けられたデータをインポート及び格納する段階を更に含む、請求項８３に記載の方法。
【請求項９６】
前記広告を前記目録に結合する前記段階が、前記広告に関連付けられた前記格納データを用いる段階を含む、請求項９５に記載の方法。
【請求項９７】
前記広告を前記目録に結合する前記段階が、利用可能な広告に関する情報と、前記広告が関連付けられるコンテンツ及びサービスに関する情報とを含んだ要因を用いて、前記結合を最適化する段階を含む、請求項８３に記載の方法。
【請求項９８】
前記結合を最適化するために用いる前記要因が、広告主合意と、広告掲載予定と、広告の有用寿命とを含む、請求項９７に記載の方法。
【請求項９９】
目録を維持する前記段階が、動的に現れる目録の目録を維持する段階を含む、請求項８３に記載の方法。
【請求項１００】
前記コンテンツ又はサービスが、時間移動したコンテンツ視聴を含む、請求項９９に記載の方法。
【請求項１０１】
前記広告を前記目録に結合する前記段階が、前記目録が消費される前に、前記広告を前記動的に現れる目録に動的に結合する段階を含む、請求項９９に記載の方法。
【請求項１０２】
前記動的に結合する段階が、前記目録が消費される直前に、前記広告を結合する段階を含む、請求項１０１に記載の方法。
【請求項１０３】
広告コンテンツを前記コンテンツ又はサービスと共に構成する段階が、前記コンテンツ又はサービス内の広告を取り替える段階を含む、請求項９９に記載の方法。
【請求項１０４】
前記広告コンテンツを前記コンテンツ又はサービスと共に構成する段階が、前記コンテンツ又はサービス内の前記広告コンテンツを取り替える段階を含む、請求項８３に記載の方法。
【請求項１０５】
多数の発信者からのコンテンツ又はサービスの処理を仲介する段階を更に含む、請求項８３に記載の方法。
【請求項１０６】
コンテンツ又はサービスの処理を仲介する前記段階が、前記広告コンテンツ又はサービスの処理を仲介する段階を含む、請求項１０５に記載の方法。
【請求項１０７】
前記広告を前記目録に結合する前記段階が、前記広告を、前記多数の発信者からの前記コンテンツ又はサービス内の機会目録に結合する段階を含む、請求項１０５に記載の方法。
【請求項１０８】
コンテンツ又はサービスの処理を仲介する前記段階が、前記多数の発信者からの前記コンテンツ又はサービス内の機会目録を維持する段階を含む、請求項１０５に記載の方法。
【請求項１０９】
１人又は複数のユーザに広告コンテンツ又はサービスを掲載し提示するための方法であって、
１人又は複数のユーザへのコンテンツ又はサービス配信時に広告を提示するための複数機会の目録を維持する段階であって、動的に現れる目録の目録を維持することを含んだ、維持する段階と、
広告を前記目録に結合する段階と、
前記広告に関連付けられた広告コンテンツを、前記コンテンツ又はサービスと共に合成する段階と、
前記合成したコンテンツを前記１人又は複数のユーザに配信する段階を含む、１人又は複数のユーザに広告コンテンツ又はサービスを出し、提示するための方法。
【請求項１１０】
動的に現れる目録の前記目録が、時間移動したコンテンツ視聴に関連付けられている、請求項１０９に記載の方法。  
【請求項１１１】
前記広告を前記目録に結合するための、情報、命令、手順、及びソフトウェアプログラムの前記の１つ又は複数を含む自己誘導式広告をインポートする段階を更に含む、請求項１０９に記載の方法。
【請求項１１２】
前記広告の前記目録への結合が、命令、手順、及びソフトウェアプログラムの前記の１つ又は複数を用いて、結合決定の要因として含める目録、ユーザ情報、及び情報の内の１つ又は複数を発見することにより、前記広告を結合する段階を含む、請求項１１１に記載の方法。
【請求項１１３】
多数の発信者からのコンテンツ又はサービスの処理を仲介する段階を更に含む、請求項１０９に記載の方法。
【請求項１１４】
コンテンツ又はサービスの処理を仲介する前記段階が、前記広告コンテンツ又はサービスの処理を仲介する段階を含む、請求項１１３に記載の方法。
【請求項１１５】
前記広告を前記目録に結合する前記段階が、前記広告を、前記多数の発信者からの前記コンテンツ又はサービス内の機会目録に結合する段階を含む、請求項１１３に記載の方法。
【請求項１１６】
コンテンツ又はサービスの処理を仲介する前記段階が、前記多数の発信者からの前記コンテンツ又はサービス内に機会目録を維持する段階を含む、請求項１１３に記載の方法。
【請求項１１７】
広告コンテンツ又はサービスを掲載するための方法であって、
多数の発信者からのコンテンツ又はサービスの処理を仲介する段階と、
広告を、前記発信者の少なくとも幾つかからのコンテンツ及びサービスに結合する段階と、
前記広告の使用に関連した報告を、前記コンテンツ及びサービスの前記発信者への通信として生成する段階とを含む、広告コンテンツ又はサービスを出すための方法。
【請求項１１８】
前記多数の発信者からの前記コンテンツ及びサービスが、前記発信者からの広告コンテンツ又は広告サービスを含む、請求項１１７に記載の方法。
【請求項１１９】
前記コンテンツの少なくとも一部を、広告主のネットワークからインポートする段階を更に含む、請求項１１８に記載の方法。
【請求項１２０】
前記広告コンテンツを広告主のネットワークからインポートする段階を更に含む、請求項１１７に記載の方法。
【請求項１２１】
前記広告を前記目録に結合するための、情報、命令、手順、及びソフトウェアプログラムの前記の１つ又は複数を含む自己誘導式広告をインポートする段階を更に含む、請求項１２０に記載の方法。
【請求項１２２】
前記広告を前記目録に結合することが、命令、手順、及びソフトウェアプログラムの前記の１つ又は複数を用いて、結合決定の要因として含める目録、ユーザ情報、及び情報の内の１つ又は複数を発見することにより、前記広告を結合する段階を含む、請求項１２１に記載の方法。
【請求項１２３】
目録を維持する前記段階が、動的に現れる目録の目録を維持する段階を含むことを更に含む、請求項１１７に記載の方法。
【請求項１２４】
前記コンテンツ又はサービスが、時間移動したコンテンツ視聴を含む、請求項１２３に記載の方法。
【請求項１２５】
前記広告を前記コンテンツに結合する前記段階が、前記目録が消費される前に、前記広告を前記動的に現れる目録に動的に結合する段階を含む、請求項１２３に記載の方法。